(57)【要約】【課題】カーポート又はサイクルポートの既製品の骨組みを有効利用することで、低コストかつ簡易に製作可能な緑化装置及びその緑化方法を提供する。【解決手段】緑化装置１０は、カーポートの骨組み１６と、カーポートの骨組み１６の最上部に取り付けられて植物を生育させる培地１４と、液肥を培地１４に供給するための給水管２２及び滴下ノズル１５と、培地内の液肥１８を排水するための排水管２０と、これら給水管２２へ給水する液肥と排水管２０から排出される液肥１８とを循環する循環システム２０とから構成される。【選択図】図１
2008173094.tif 000002
【特許請求の範囲】
【請求項１】
カーポート又はサイクルポートの骨組みを利用した緑化装置であって、
植物の培地となる管体を、前記カーポート又はサイクルポートの骨組みにとりつけてなることを特徴とする緑化装置。
【請求項２】
前記管体は前記植物が植え込まれる部分に開口部が形成され、前記管体の開口部内に液肥を供給する手段を備えることを特徴とする請求項１に記載の緑化装置。
【請求項３】
給水管を備え、前記給水管には前記開口部の上方から前記開口部内へ液肥を滴下する滴下装置が接続されてなることを特徴とする請求項１又は２に記載の緑化装置
【請求項４】
前記カーポート又はサイクルポートの骨組み間に網材を設けたことを特徴とする請求項１〜３のいずれかに記載の緑化装置。
【発明の詳細な説明】
【技術分野】
【０００１】
本発明は緑化装置に係り、特にカーポート又はサイクルポートの骨組みを利用した緑化装置に関する。
【背景技術】
【０００２】
近年、ヒートアイランド化の抑制や大気浄化などの環境対策のために、都心部における緑化量の増加の必要性は高まっており、これら要求に対する緑化技術の一つとして、従来より本発明者は建物の屋上の緑化方法及び装置の提案を行っている。
【０００３】
例えば、特許文献１には、建物の屋上に複数の支柱を立て、これらの支柱間に複数の骨組みを架け渡し、これらの骨組みを支持部材として植生を繁茂させるようにした緑化方法が開示されている。
【０００４】
これは、屋上に設置された設備などに制限されたり、屋上スペースを狭めたりすることなく設置でき、また、植生への潅水や施肥などの管理が容易であるとともに、潅水などによる屋内への漏水の危険性がなく建物の屋上を緑化するためのものである。
【特許文献１】特開２００６−２０５４２号公報
【発明の開示】
【発明が解決しようとする課題】
【０００５】
しかしながら、特許文献１に開示される緑化技術は、実際に植生を繁茂させる構造として複数の支柱及び骨組みを構築する上で、部材の設計から、調達、形成、そして組み上げまで多くの手間と時間を要し、これに伴い製作費及び施工費が多大になってしまうことから緑化導入への足かせになるおそれがあった。
【０００６】
本発明は、上記の点に鑑みてなされたものであり、カーポート又はサイクルポートの既製品の骨組みを利用することで、低コストかつ簡易に製作可能な緑化装置を提供することを目的とする。
【課題を解決するための手段】
【０００７】
上記の目的を達成するため、本発明は植物の培地となる管体を、前記カーポート又はサイクルポートの骨組みにとりつけてなることを特徴とする（第１の発明）。  
本発明の緑化装置によれば、植物を繁茂させる骨組みに市販のカーポート又はサイクルポートの骨組みを利用することにより、施工時間を短縮できるとともに施工コストも低減できる。
【０００８】
また、カーポート又はサイクルポートの下方には人の歩行に支障のないスペースが確保でき、例えば、休憩場所や憩いの場として有効利用できる。  
また、市販されるカーポート又はサイクルポートは、脚立等を使用することにより一般に人が手の届く程度の屋根の高さで設計されており、培地及び繁茂する植物のメンテナンスを行う際に屋根自体に載って作業することなく、カーポート又はサイクルポートの骨組みの下方から容易かつ安全に作業することができる。
【０００９】
第２の発明は、第１の発明において、前記管体は前記植物が植え込まれる部分に開口部が形成され、前記管体の開口部内に液肥を供給する手段を備えることを特徴とする。
【００１０】
第３の発明は、第１又は２の発明において、給水管を備え、前記給水管には前記開口部の上方から前記開口部内へ液肥を滴下する滴下装置が接続されてなることを特徴とする。
【００１１】
第４の発明は、第１〜３のいずれかの発明において、前記カーポート又はサイクルポートの骨組み間に網材を設けたことを特徴とする。  
本発明の緑化装置によれば、管体から繁茂させる植物の緑化範囲を、骨組み上にだけでなく骨組み間にも広げることができ、緑化面積を増加させることができる。
【発明の効果】
【００１２】
本発明によれば、カーポート又はサイクルポートの既製品の骨組みを有効利用することで、低コストかつ簡易に製作可能な緑化装置及びその緑化方法を提供できる。
【発明を実施するための最良の形態】
【００１３】
本発明は、市販される既製品の骨組みを利用した緑化装置及び緑化方法であり、以下にその好ましい一実施形態について図面に基づき詳細に説明する。なお、本実施形態はかかる緑化装置をビル等の屋上緑化に適用したものである。
【００１４】
図１は、本実施形態に係るカーポートの骨組みを利用した緑化装置１０の外観を示す斜視図である。  
図１に示すように、緑化装置１０は、カーポートの骨組み１６と、カーポートの骨組み１６の最上部に取り付けられて植物を生育させる培地１４と、液肥を培地１４に供給するための給水管２２及び滴下ノズル１５と、培地内の液肥を排水するための排水管２４と、これら給水管２２へ給水する液肥１８と排水管２４から排出される液肥１８とを自動的に循環する循環システム２０とから構成される。  
なお、緑化装置１０に植生させる植物には、例えば、つる性植物であるヘデラ・ヘリックス１９（以下、ヘデラ１９という）を用いる。
【００１５】
骨組み１６として用いるカーポートは、市販されているものであればどのようなものでも利用できる。また、自転車置き場用のサイクルポートを利用してもよい。ただし、本実施形態では、ビル等の積雪や強風などによる荷重にその構造が十分耐久しうることと骨組みの下部から手入れを行うことのために、カーポートの部材のうち屋根は用いない。
【００１６】
カーポートの骨組み１６は、例えば、Ｃチャンネル、或いは中空角型材に長手方向に沿って上面全域に亘って切り欠かきが形成された部材であって、Ｃ型又は切り欠きの開口面が上方に向いていることが好ましい。この際には骨組み１６の内側に、例えば、スポンジ、ジュート、藁や籾殻のような吸湿性と保水性を有する吸湿保水材３８を骨組み１６内から脱落しないように充填することで、伸延したヘデラ１９が吸湿保水材３８に適宜根を下ろして、自力で自らの体を骨組み１６に保持させることができる。
【００１７】
また、カーポートの骨組み１６は軽量であるので、例えば、骨組み１６の支柱底部に十分な面積の板材４６を設け、ビルの屋上の屋上に敷設されるコンクリート等の面に、アンカーボルト４４でしっかり固定したり、この板材４６を接着剤で強固に貼り付けたりして強風による浮き上がりを防止する。なお、板材４６の代わりに、骨組み１６の各支柱をアングル材やチャンネル材などで繋ぎ合わせ、これらをコンクリート等の面にアンカーボルト４４や接着剤を用いて固定してもよい（図示しない）。また、骨組み１６を屋上に設けられている外柵などに支線等を用いて固定してもよい（図示しない）。この場合、支線の設置場所は、人が引っかかることないように人の通行・出入りのない場所とし、支線には保護カバー等を設置する。
【００１８】
骨組み１６間には、屋根全体にヘデラ１９の伸延を補助し、繁茂させる面積を増やすための金網やネットなどの網材１７を設けている。  
なお、骨組み１６又は網材１７に伸延するヘデラ１９が固定されていない場合には、ワイヤーや縄等でヘデラ１９の茎などを適宜骨組み又は網材１７に留めておくことが好ましい。
【００１９】
図２は、図１の緑化装置１０のうち培地１４の部分を抜粋した図である。  
図２に示すように、培地１４は、例えば、円筒形の硬質塩化ビニル製の管（以下、塩ビ管３０という）の上側にヘデラ１９を植え込むための開口部２８を形成したものであり、その開口部２８近傍には、ヘデラ１９が強風や自重などで培地１４から脱落しないように、茎部又は根部を保持できるような留め具３２が取り付けられている。また、その開口部２８へ液肥１８が滴下されるように給水管２２及び滴下ノズル１５が設置され、塩ビ管３０の端部には排水するための排水管２４が設けられている。
【００２０】
塩ビ管３０は、培地１４に日光が照射することによって発生するアオコ等の発生を防止するために、例えば、遮光性を有するものが用いられる。なお、塩ビ管３０は、ヘデラ１９に十分な容量を有するような形状を有するものであれば、円筒形に限らず、例えば、角型でもよい。
【００２１】
開口部２８は、雨水の流入による液肥濃度の希釈や日光照射によるアオコ等の発生を防止するために、ヘデラ１９を植え込むのに必要最小限の大きさであることが好ましい。また、開口部２８は、ヘデラ１９が成長するにあたり、その茎部を骨組みに留めながら伸延させることができるように、塩ビ管３０のうち、カーポートの屋根の傾斜方向の骨組みの延長する位置に形成されている（図１参照）。
【００２２】
留め具３２は、茎部を保持する径を、ヘデラ１９の生育に追随して変形できるような、例えば、軟らかい針金を一巻きに曲げたものが用いられている。
【００２３】
給水管２２は、例えば、塩ビ管３０の長手方向に沿うように設置されており、その給水管２２からは開口部２８へ液肥を滴下するための滴下ノズル１５が接続されている。
【００２４】
排水管２４は、塩ビ管３０の長手方向端部の下方に設けられ、塩ビ管３０内の下部に集水した液肥を排水するようになっている。
【００２５】
なお、本実施形態では、培地１４への給水方式が開口部から滴下する構成としているが、これに限らず、給水管２２を塩ビ管３０の長手方向端部より塩ビ管３０内に挿通させ、挿通された部分に流出可能な流出穴を複数形成させて液肥１８を供給してもよい。この場合、排水管２４は、ヘデラ１９の根を生育するための適正な水位レベルになるように、給水管の挿通される位置よりも上方に設けられる。
【００２６】
塩ビ管３０内には通気性と通水性のよい、例えば、ゼオライトやカキ殻等の充填物３６が充填されている。これら充填物３６はヘデラ１９の栽培に適した十分に中和処理がなされているものを使用する。
【００２７】
図３は、循環システム２０の液肥１８の流れ及び機器の詳細を示す系統図である。  
図３に示すように、循環システム２０は、液肥１８を貯めるための液肥タンク２６と、液肥タンク２６から培地１４へ液肥１８を供給するための給水管２２及びポンプＰ１と、培地１４内の液肥１８を液肥タンク２６へ排水するための排水管２４と、液肥タンク２６内の液肥１８の温度を調節するヒータ６０及びクーラ６２と、液肥タンク２６もしくは培地１４の液肥１８を監視する各種センサ（Ｓ１〜Ｓ３）と、それらセンサによる測定値の表示、記録、もしくは異常を警告するデータロガー６４とから構成される。
【００２８】
液肥タンク２６は、培地１４に十分な液肥を供給できる程度の容量を有し、例えば、金属製やプラスチック製のもので遮光性を有するものが好ましい。また、ビルの屋上に設置するので、屋上スペースを有効利用するために液肥タンク２６を、例えば、屋上に休憩所や憩いの場として設置するベンチの下部に配置したり、液肥タンク２６を補強してそれ自体をベンチや作業台として活用したりしてもよい。
【００２９】
また、給水管２２及び排水管２４にも遮光性を有する材質である、例えば、汎用の水道管や硬質塩ビ管を用いることが好ましい。なお、これに限らず、配管等の取り回しの容易性を考慮して、容易に屈曲可能な軟質の塩化ビニルパイプを用いてもよい。
【００３０】
ポンプＰ１は、液肥タンク２６に貯水された液肥１８を、給水管２２を通じて屋根の頂上部に設けられた培地１４に十分給水できる性能を備えている。
【００３１】
液肥１８の温度調節には、冬場の凍結を防止するとともに、液肥１８の温度を適正に保つ（例えば、マイナス５℃以上）ためのヒータ６０と、夏場、培地１４内の液肥１８が異常に上昇しないように（例えば、３０℃以下）、液肥１８を冷却するクーラ６２とが、液肥タンク２６内に設けられている。
【００３２】
液肥タンク２６には、液肥１８の温度、液肥１８の濃度及び水位を監視するための温度センサＳ１、濃度センサＳ２及び水位センサＳ３が設けられており、これら各センサによる測定値はデータロガー６４で監視及び記録され、異常値を示す場合に警報で知らせるようになっている。
【００３３】
なお、温度センサＳ１で測定する温度に応じて、ヒータ６０及びクーラ６２の制御を行う制御装置７０を設けてもよい。  
また、排水管２４の管路に、ヘデラ１９の根の呼吸作用を促進させて良好に生育させるために、液肥１８に空気を混合する空気混合器５６を設けてもよい。
【００３４】
図４は、空気混合器５６の内部構造を示す断面図である。  
図４に示すように、空気混合器５６は、一方向の流れに対して互いに逆方向の回転するような二枚のプロペラ６６が、排水管２４の管路内に、排水管２４の管軸と同軸に設置され、これらプロペラ６６の設置位置近傍に、排水管２４の内外を貫通する空気穴６８が形成されたものである。この構造により、例えば、上方から液体が流れてきた場合には、排水管２４内を水と空気の流れが生じ、排水管２４内の空気圧が管外の外圧と比べて負圧になって、空気穴６８から排水管２４内に空気が流入し、さらに流れによって互いに逆回転する２枚のプロペラ６６により、排水管２４内の水と空気とが攪拌されて混合することによって液肥１８中に空気が取り入れられる。なお、空気混合器５６内には、円筒状のフレームからなるランナー収納ケース６７が設けられ、プロペラ６６の回転軸６９は、このランナー収納ケース６７に備えられる軸受７１により支持されている。  
また、節水に努めるために、液肥タンク２６で用いる水源に雨水を有効利用してもよい。
【００３５】
図５は、ビルの屋上から雨水を集めて液肥タンク２６に導入する方法を説明するための概念図である。  
図５に示すように、ビルの屋上の排水口９０に、例えば、止水堤９２を設けて降雨によって集水される雨水を堰きとめ、溜まった雨水を雨水ポンプＰ２で液肥タンク２６へと移送する。  
雨水ポンプＰ２には、液肥タンク２６内の水位を感知して起動し、所定の水位に達すると自動的に停止する機能を備えるものを用いることが好ましい。
【００３６】
なお、本実施形態の緑化装置１０を可動させる電源を電気代の節約及び省エネルギーのために太陽光発電を用いることが好ましい。  
また、本実施形態に係るカーポートの骨組みを設置する場所に、例えば、ビルの屋上に設置されるチラー等のファンの風が直接あたる所を選定してしまうとヘデラ１９の成長に影響を与えてしまうので、チラー等のファンの設置位置より離して設置することが好ましい。ただし、ファンの風が直接あたる所に設置せざるを得ない場合には、風除け等を設置してヘデラ１９に直接風が当らないようにする。
【００３７】
以上説明したように、本実施形態による緑化装置１０によれば、ヘデラ１９を繁茂させる骨組みに市販のカーポートの骨組み１６を利用することにより、施工時間を短縮できるとともに施工コストも低減できる。
【００３８】
また、本実施形態による緑化装置１０によれば、カーポートの屋根部材を用いず、骨組み１６のみを用いることにより、骨組み１６に培地１４となる塩ビ管３０が設けられ、さらにヘデラ１９が繁茂することにより積載荷重が増加したとしても、それ以上積雪や風圧などによって加重されることはないので、構造物として安定的に維持できる。
【００３９】
また、カーポートの下方には人の歩行に支障のないスペースが確保でき、例えば、休憩場所や憩いの場として有効利用できる。
【００４０】
また、本実施形態による緑化装置１０によれば、一般の市販されるカーポートの骨組み１６は、脚立等を使用することにより一般に人が手の届く程度の屋根の高さで設計されていることにより、培地１４及び繁茂するヘデラ１９のメンテナンスを行う際に屋根自体に載って作業することなく、カーポートの骨組み１６の下方から容易且つ安全に作業することができる。
【００４１】
また、本実施形態による緑化装置１０によれば、骨組み１６間に網材１７をかけることにより、培地１４から繁茂させるヘデラ１９の緑化範囲を、骨組み１６上にだけでなく骨組み１６間にも広げることができ、緑化面積を増加させることができる。
【００４２】
なお、本実施形態による緑化装置１０の培地１４によれば、一屋根に対し一つ設置する例を示したが、これに限らず、屋根の傾斜方向の長さに応じて複数設置してもよい（図示しない）。この場合、追加する培地１４は屋根上に水平方向に設置する。
【００４３】
また、本実施形態による緑化装置１０は、ビル屋上に設置する適用例について説明したが、これに限らず、カーポートが設置可能な場所であればどこでも設置可能である。
【図面の簡単な説明】
【００４４】
【図１】本実施形態に係るカーポートの骨組みを利用した緑化装置１０の外観を示す斜視図である。
【図２】図１の緑化装置のうち培地の部分を抜粋した図である。
【図３】循環システムの液肥の流れ及び機器の詳細を示す系統図である。
【図４】空気混合器の内部構造を示す断面図である。
【図５】ビルの屋上から雨水を集めて液肥タンクに導入する方法を説明するための概念図である。
【符号の説明】
【００４５】
１０  緑化装置
１５  滴下ノズル
１４  培地
１６  骨組み
１７  網材
１８  液肥
１９  ヘデラ
２０  循環システム
２２  給水管
２４  排水管
２６  液肥タンク
２８  開口部
３０  塩ビ管
【図１】
2008173094.tif 000003
【図２】
2008173094.tif 000004
【図３】
2008173094.tif 000005
【図４】
2008173094.tif 000006
【図５】
2008173094.tif 000007